(57)【要約】      （修正有）【課題】写真を使用して子供等が兜をいかにも被っているように飾ることができる写真立て付き兜置きを提供する。【解決手段】写真立て付き兜置き１は、写真を支持する写真支持部１１ａが台座部１１ｂから立設された写真立て１１と、兜を支持する兜支持棒部１２とを有し、兜支持棒部１２は、写真立て１１の台座部１１ｂ上であって、かつ、当該兜支持棒部１２に兜を載せると、その兜の顔の入る位置に写真立て１１の写真支持部１１ａが来るような位置に取付けられる。【選択図】図２
0003193836.tif 000002
【実用新案登録請求の範囲】
【請求項１】
写真を支持する写真支持部が台座部から立設された写真立てと、
兜を支持する兜支持棒部とを有し、
前記兜支持棒部は、前記写真立ての台座部上であって、かつ、当該兜支持棒部に兜を載せると、その兜の顔の入る位置に前記写真立ての写真支持部が来るような位置に取付けられることを特徴とする写真立て付き兜置き。
【請求項２】
請求項１記載の写真立て付き兜置きにおいて、
前記写真支持部は、前記台座部の前端部から立設して上方に向かう程、後方側へ向くように斜めに傾斜して設けられ、
前記兜支持棒部は、前記写真立ての台座部上であって、当該台座部の前端部より後端部側に偏心した位置に取り付けることにより、当該兜支持棒部に兜を載せると、その兜の顔の入る位置に前記写真立ての写真支持部が来るような位置に取付けられることを特徴とする写真立て付き兜置き。
【請求項３】
請求項１または請求項２に記載の写真立て付き兜置きにおいて、
前記写真支持部は、
前記台座部から立設した写真支持板と、
その写真支持板との間で写真を挟むことにより写真を支持するクリア板とから構成されて、
前記写真支持板と前記クリア板のうち少なくともいずれか一方の隅には磁石が設けられている一方、他方の隅には磁石または金属部が設けられており、
前記写真支持板と前記クリア板との間の磁力によって写真を挟むことで写真を支持することを特徴とする写真立て付き兜置き。
【考案の詳細な説明】
【技術分野】
【０００１】
本考案は、写真立て付きの兜置きに関する。
【背景技術】
【０００２】
兜置きとして、ほぼ等身大の鎧と兜とを備えた鎧・兜飾り装置が兜置きとして提案されている（例えば、特許文献１参照。）。
【先行技術文献】
【特許文献】
【０００３】
【特許文献１】特開平１０−１９２５５７号公報
【考案の概要】
【考案が解決しようとする課題】
【０００４】
しかし、前記特許文献１に記載の兜置きは、ほぼ等身大の鎧と兜とを飾るためのものであるため、一般家庭には大きすぎると共に、高価になり、一般消費者からほとんど見向きもされず、売れないという問題がある。
【０００５】
また、通常、この手の兜は、五月の節句等に祖母や祖父が孫のために購入して送る場合が多く、兜が写真と共に飾れると、とても便利で、子供夫婦側だけでなく、祖母や祖父側でも購入する機会も増えると予想される。
【０００６】
そこで、本考案はこのような問題点に鑑みなされたもので、写真を使用して子供等が兜をいかにも被っているように飾ることができる写真立て付き兜置きを提供することを目的とする。
【課題を解決するための手段】
【０００７】
前記課題を解決するため、本考案の写真立て付き兜置きは、写真を支持する写真支持部が台座部から立設された写真立てと、兜を支持する兜支持棒部とを有し、前記兜支持棒部は、前記写真立ての台座部上であって、かつ、当該兜支持棒部に兜を載せると、その兜の顔の入る位置に前記写真立ての写真支持部が来るような位置に取付けられることを特徴とする。
ここで、前記写真支持部は、前記台座部の前端部から立設して上方に向かう程、後方側へ向くように斜めに傾斜して設けられ、前記兜支持棒部は、前記写真立ての台座部上であって、当該台座部の前端部より後端部側に偏心した位置に取り付けることにより、当該兜支持棒部に兜を載せると、その兜の顔の入る位置に前記写真立ての写真支持部が来るような位置に取付けられると良い。
また、前記写真支持部は、前記台座部から立設した写真支持板と、その写真支持板との間で写真を挟むことにより写真を支持するクリア板とから構成されて、前記写真支持板と前記クリア板のうち少なくともいずれか一方の隅には磁石が設けられている一方、他方の隅には磁石または金属部が設けられており、前記写真支持板と前記クリア板との間の磁力によって写真を挟むことで写真を支持すると良い。
【考案の効果】
【０００８】
本考案に係る写真立て付き兜置きによれば、兜支持棒部は写真立ての台座部上であって、かつ、当該兜支持棒部に兜を載せると、その兜の顔の入る位置に写真立ての写真支持部が来るような位置に取付けられるため、写真を写真支持部に挿入して飾ることにより、子供等が兜をいかにも被っているように飾ることができる。
その結果、子供夫婦側で喜ばれるだけでなく、祖母や祖父側でも喜ばれ、子供夫婦用と祖母や祖父用に購入する機会も増大すると予想される。
【図面の簡単な説明】
【０００９】
【図１】本考案に係る写真立て付き兜置きに兜を被せて写真を差して飾った状態を示す正面図である。
【図２】本考案に係る写真立て付き兜置きの正面図である。
【図３】本考案に係る写真立て付き兜置きの右側面図である。
【図４】本考案に係る写真立て付き兜置きの正面図である。
【図５】本考案に係る写真立て付き兜置きのクリア板を取外した写真立てを示す右側面図である。
【図６】（ａ），（ｂ）それぞれ本考案に係る写真立て付き兜置きのクリア板を取外した写真立てを示す平面図、正面図である。
【図７】（ａ），（ｂ）それぞれ本考案に係る写真立て付き兜置きのクリア板の正面図、右側面図である。
【図８】（ａ），（ｂ）それぞれ本考案に係る写真立て付き兜置きの支持棒取付部の平面図、正面図である。
【図９】本考案に係る写真立て付き兜置の写真立てに写真を挟む際の手順を示す正面図である。
【考案を実施するための形態】
【００１０】
次に、本考案に係る写真立て付き兜置き１の実施の形態について説明する。
【００１１】
この考案の写真立て付き兜置き１は、図１に示すように、兜３の位置に子供等の写真２が位置するように兜３と写真２とを飾るもので、図２〜図４に示すように、写真立て１１と兜支持棒部１２とから構成される。
【００１２】
写真立て１１は、ピアノブラックの硬質プラスチック等から構成されており、図３や図５に示すように写真２を支持する写真支持部１１ａの写真支持板１１ａ１が台座部１１ｂから立設されて構成されており、側面視すると、図３や図５に示すように写真支持板１１ａ１と台座部１１ｂとが９０度以上曲がったＬ字形状に形成されている。
【００１３】
つまり、写真支持部１１ａの写真支持板１１ａは、図３や図５に示すように台座部１１ｂの前端部から９０度以上曲げられた状態で立設して、上方に向かう程、後方側へ向くように斜めに傾斜した状態で設けられている。
【００１４】
そして、写真支持部１１ａは、写真支持板１１ａ１と、図７に示すように透明なクリア板１１ａ２との間で写真２を挟むように構成されている。
【００１５】
ここで、図６（ａ），（ｂ）や図７（ａ），（ｂ）に示すように、写真支持板１１ａ１およびクリア板１１ａ２の４隅には、それぞれ磁石１１ｃが設けられており、写真支持板１１ａ１とクリア板１１ａ２との間で磁石１１ｃ同士が磁力によって密着することによって写真２を挟んで、写真２を支持する。
【００１６】
その結果、写真２の挿入や入れ替え、取り外し等が非常に簡単になる。
【００１７】
また、図５や図６等に示すように、台座部１１ｂには、兜支持棒部１２に兜３を載せると、その兜３の顔の入る位置に写真立て１１の写真支持部１１ａが来るような位置に兜支持棒部１２を取り付けるための支持棒取付部１１ｂ１が設けられている。
【００１８】
支持棒取付部１１ｂ１は、後述するように平面視（切断面）正方形の兜支持棒部１２を着脱可能に装着できるように平面視正方形の凹部１１ｂ１１を有している。
【００１９】
そのため、写真立て１１の台座部１１ｂから兜支持棒部１２が簡単に着脱可能となるので、写真立て付き兜置き１への兜３の取付けが容易となる。
【００２０】
また、支持棒取付部１１ｂ１の平面視正方形の凹部１１ｂ１１に兜支持棒部１２の平面視正方形の支持棒部１２ａが挿入されて回転しないように嵌るので、写真立て１１の台座部１１ｂに対し兜支持棒部１２の角度出しが容易となり、支持棒取付部１１ｂ１に兜３を固定した場合でも、簡単に正しく正面を向かせることが可能となる。
【００２１】
兜支持棒部１２は、図８（ａ），（ｂ）に示すように、平面視正方形の支持棒部１２ａと、その支持棒部１２ａ上部に設けられ支持棒部１２ａより外側に突出する円盤状の兜支持部１２ｂとから構成されており、兜支持部１２ｂの中心には兜３を固定するためのボルト１２ｃが設けられている。そのため、兜３を兜支持部１２ｂに載せ、その上からナット等で締付けることにより、図９に示すように兜支持棒部１２の兜支持部１２ｂに兜３を固定することができる。
【００２２】
そして、図９に示すように、台座部１１ｂから立設して４隅に磁石１１ｃが設けられた写真支持板１１ａ１と、同様に４隅に磁石１１ｃが設けられたクリア１１ａ２との間に写真２を挿入して、写真支持板１１ａ１の４隅の磁石１１ｃと、クリア１１ａ２の４隅の磁石１１ｃとを近づけると、磁石１１ｃ同士の磁力により引付け合って密着し、写真支持板１１ａ１とクリア１１ａ２との間で写真２を支持することができる。
【００２３】
従って、本考案に係る写真立て付き兜置き１によれば、兜支持棒部１２は写真立て１１の台座部１１ｂ上であって、かつ、兜支持棒部１２に兜３を載せると、その兜３の顔の入る位置に写真立て１１の写真支持部１１ａが来るような位置に来るため、写真２を写真支持部１１ａに挿入して飾ることにより、子供等が兜３をいかにも被っているように飾ることができる。
【００２４】
その結果、子供夫婦側で喜ばれるだけでなく、祖母や祖父側でも喜ばれ、子供夫婦用と祖母や祖父用に購入する機会も増大すると予想される。
【００２５】
また、写真支持部１１ａは、台座部１１ｂの前端部から立設して上方に向かう程、後方側へ向くように斜めに傾斜して設けられ、兜支持棒部１２は、写真立て１１の台座部１１ｂ上であって、当該台座部１１ｂの前端部より後端部側に偏心した位置に取り付けることにより、兜支持棒部１２に兜３を載せると、その兜３の顔の入る位置に写真立て１１の写真支持部１１ａが来るような位置に取付けられるため、兜３に対し写真２が目立つ最高の位置に取り付けることが可能となる。
【００２６】
また、写真支持板１１ａ１およびクリア板１１ａ２には、それぞれ、４隅に磁石１１ｃが設けられており、写真支持板１１ａ１の４隅の磁石１１ｃとクリア１１ａ２の４隅の磁石１１ｃとを近づけると、磁石１１ｃ同士の磁力により引付け合って密着し、写真支持板１１ａ１とクリア１１ａ２との間で写真２を支持することができる。その結果、写真２の挿入や入れ替え、取り外し等も非常に簡単になり、使い勝手の良い写真立て付き兜置き１を提供することが可能となる。
【符号の説明】
【００２７】
１  写真立て付き兜置き
１１  本体部
１１ａ  写真支持部
１１ａ１  写真支持板
１１ａ２  クリア板
１１ｂ  台座部
１１ｂ１  支持棒取付部
１１ｂ１１  凹部
２  写真
３  兜
【図１】
0003193836.tif 000003
【図２】
0003193836.tif 000004
【図３】
0003193836.tif 000005
【図４】
0003193836.tif 000006
【図５】
0003193836.tif 000007
【図６】
0003193836.tif 000008
【図７】
0003193836.tif 000009
【図８】
0003193836.tif 000010
【図９】
0003193836.tif 000011